(57)【要約】【課題】携帯端末において、その消費電力の低減が求められている。【解決手段】本発明に係る携帯端末は、ディスプレイと、ディスプレイにおける画像表示領域の少なくとも一部分であるスクロール対象領域の画像がスクロールするように、ディスプレイに画像を表示させる表示処理を行う表示処理部と、スクロール対象領域の画像のスクロール速度を算出する算出処理を行う算出部と、算出部によって算出されるスクロール速度が第１の速度よりも速い第２の速度である場合において、第１の速度の場合にディスプレイに表示される画像よりも、第２の速度の場合にディスプレイに表示される画像が明るくなるように、ディスプレイに表示される画像の明るさを調整する明るさ調整部とを備える。【選択図】図８
2014164389.tif 000002
【特許請求の範囲】
【請求項１】
ディスプレイと、
前記ディスプレイにおける画像表示領域の少なくとも一部分であるスクロール対象領域の画像がスクロールするように、前記ディスプレイに画像を表示させる表示処理を行う表示処理部と、
前記スクロール対象領域の画像のスクロール速度を算出する算出処理を行う算出部と、
前記算出部によって算出される前記スクロール速度が第１の速度よりも速い第２の速度である場合において、前記第１の速度の場合に前記ディスプレイに表示される画像よりも、前記第２の速度の場合に前記ディスプレイに表示される画像が明るくなるように、前記ディスプレイに表示される画像の明るさを調整する明るさ調整部とを備える
ことを特徴とする携帯端末。
【請求項２】
前記スクロール対象領域の画像をスクロールさせるためのスクロール操作を受け付ける受付部を備え、
前記表示処理部は、前記受付部によって前記スクロール操作が受け付けられた場合に、前記スクロール対象領域の画像が、当該スクロール操作に応じてスクロールするように、前記表示処理を行う
ことを特徴とする請求項１記載の携帯端末。
【請求項３】
前記第１の速度と前記第２の速度との間を区別するための閾値速度を記憶する記憶部を備え、
前記明るさ調整部は、前記記憶部に記憶される前記閾値速度を参照して、前記算出部によって算出される前記スクロール速度が当該閾値速度を上回っている場合に、前記ディスプレイに表示される画像が第１の明るさで表示され、前記算出部によって算出される前記スクロール速度が当該閾値速度を下回っている場合に、前記ディスプレイに表示される画像が前記第１の明るさよりも明るい第２の明るさで表示されるように、前記調整を行う
ことを特徴とする請求項２記載の携帯端末。
【請求項４】
前記表示処理部は、プロセッサによって実行される、前記ディスプレイに表示される画像が互いに異なる複数のアプリケーションプログラム毎に、前記表示処理を行い、
前記算出部は、前記複数のアプリケーションプログラム毎に、前記算出処理を行う
ことを特徴とする請求項３記載の携帯端末。
【請求項５】
前記表示処理部は、
第１アプリケーションプログラムが前記プロセッサによって実行されることで実現され、前記ディスプレイに、当該第１アプリケーションプログラムによって定まる第１種画像を表示させる第１表示処理を、前記表示処理として行う第１表示処理部と、
第２アプリケーションプログラムが前記プロセッサによって実行されることで実現され、前記ディスプレイに、当該第２アプリケーションプログラムによって定まる第２種画像を表示させる第２表示処理を、前記表示処理として行う第２表示処理部とを含み、
前記算出部は、
前記第１アプリケーションプログラムが前記プロセッサによって実行されることで実現され、前記第１種画像について、前記スクロール対象領域の画像の第１スクロール速度を算出する第１算出処理を、前記算出処理として行う第１算出部と、
前記第２アプリケーションプログラムが前記プロセッサによって実行されることで実現され、前記第２種画像について、前記スクロール対象領域の画像の第２スクロール速度を算出する第２算出処理を、前記算出処理として行う第２算出部とを含み、
前記記憶部は、前記第１種画像における、前記第１の速度と前記第２の速度との間を区別するための第１閾値速度と、前記第２種画像における、前記第１の速度と前記第２の速度との間を区別するための第２閾値速度とを、前記閾値速度として記憶し、
前記明るさ調整部は、
前記第１算出部によって前記第１スクロール速度が算出される場合に、前記記憶部に記憶される前記第１閾値速度を参照して、当該第１スクロール速度が当該第１閾値速度を上回っているときに、前記ディスプレイに表示される画像が前記第１の明るさで表示され、当該第１スクロール速度が当該第１閾値速度を下回っているときに、前記ディスプレイに表示される画像が前記第２の明るさで表示されるように、前記調整を行い、
前記第２算出部によって前記第２スクロール速度が算出される場合に、前記記憶部に記憶される前記第２閾値速度を参照して、当該第２スクロール速度が当該第２閾値速度を上回っているときに、前記ディスプレイに表示される画像が前記第１の明るさで表示され、当該第２スクロール速度が当該第２閾値速度を下回っているときに、前記ディスプレイに表示される画像が前記第２の明るさで表示されるように、前記調整を行う
ことを特徴とする請求項４記載の携帯端末。
【請求項６】
前記ディスプレイは、液晶パネルと、当該液晶パネルの背面に位置するバックライトとを含み、
前記明るさ調整部は、前記バックライトの光量を変更することで前記調整を行う
ことを特徴とする請求項３記載の携帯端末。
【請求項７】
前記ディスプレイは、発光素子で構成される複数の画素からなり、
前記明るさ調整部は、前記発光素子の輝度を変更することで前記調整を行う
ことを特徴とする請求項３記載の携帯端末。
【請求項８】
前記明るさ調整部は、さらに、前記算出部によって算出される前記スクロール速度が第２の速度よりも速い第３の速度である場合において、前記第２の速度の場合に前記ディスプレイに表示される画像よりも、前記第３の速度の場合に前記ディスプレイに表示される画像が明るくなるように、前記ディスプレイに表示される画像の明るさを調整して、前記調整を行う
ことを特徴とする請求項１記載の携帯端末。
【請求項９】
前記明るさ調整部は、前記ディスプレイにおける画像表示領域のうちの一部の領域である調整対象領域であって、前記スクロール対象領域を含む調整対象領域の画像に限って前記調整を行う
ことを特徴とする請求項１記載の携帯端末。
【請求項１０】
ディスプレイを備える携帯端末を制御する携帯端末制御方法であって、
前記ディスプレイにおける画像表示領域の少なくとも一部分であるスクロール対象領域の画像がスクロールするように、前記ディスプレイに画像を表示させる表示処理ステップと、
前記スクロール対象領域の画像のスクロール速度を算出する算出ステップと、
前記算出ステップによって算出される前記スクロール速度が第１の速度よりも速い第２の速度である場合において、前記第１の速度の場合に前記ディスプレイに表示される画像よりも、前記第２の速度の場合に前記ディスプレイに表示される画像が明るくなるように、前記ディスプレイに表示される画像の明るさを調整する明るさ調整ステップとを備える
ことを特徴とする携帯端末制御方法。
【発明の詳細な説明】
【技術分野】
【０００１】
本発明は、ディスプレイを備える携帯端末についての技術に関する。
【背景技術】
【０００２】
一般に、携帯端末は、内蔵するバッテリに蓄えられた電力を利用して処理を行う。このため、その処理可能期間を長くするために、携帯端末における消費電力の低減が求められる。
携帯端末における消費電力の低減を実現するための技術として、例えば、特許文献１に、ディスプレイに表示する画像における一部の画素の輝度を低くする技術が記載され、特許文献２に、ディスプレイにおける背景画像として、ディスプレイの消費電力が少なくなるものを選択する技術が記載されている。
【先行技術文献】
【特許文献】
【０００３】
【特許文献１】特開２０１０−２２４９２８号公報
【特許文献２】特開２０１１−２１６９４４号公報
【発明の概要】
【発明が解決しようとする課題】
【０００４】
携帯端末における消費電力の低減を実現するための技術として、上記技術が知られているものの、これらの技術だけでは十分な携帯端末における消費電力の低減が実現されているとは言い難い。
そこで、本発明は係る問題に鑑みてなされたものであり、消費電力の低減を実現する携帯端末を提供することを目的とする。
【課題を解決するための手段】
【０００５】
上記課題を解決するために本発明に係る携帯端末は、ディスプレイと、前記ディスプレイにおける画像表示領域の少なくとも一部分であるスクロール対象領域の画像がスクロールするように、前記ディスプレイに画像を表示させる表示処理を行う表示処理部と、前記スクロール対象領域の画像のスクロール速度を算出する算出処理を行う算出部と、前記算出部によって算出される前記スクロール速度が第１の速度よりも速い第２の速度である場合において、前記第１の速度の場合に前記ディスプレイに表示される画像よりも、前記第２の速度の場合に前記ディスプレイに表示される画像が明るくなるように、前記ディスプレイに表示される画像の明るさを調整する明るさ調整部とを備えることを特徴とする。
【発明の効果】
【０００６】
本発明に係る携帯端末によると、消費電力の低減を実現する携帯端末を提供することができる。
【図面の簡単な説明】
【０００７】
【図１】携帯端末１００の斜視図
【図２】携帯端末１００の回路図
【図３】タッチパネル１１０の分解斜視図
【図４】スクロール処理部４００の機能ブロック図
【図５】第１表示処理部４５０によって生成される画像の一例を示す概略図
【図６】第２表示処理部４８０によって生成される画像の一例を示す概略図
【図７】閾値速度テーブル７００の構成図
【図８】スクロール処理のフローチャート
【図９】変形閾値速度テーブル９００
【図１０】第１変形スクロール処理のフローチャートその１
【図１１】第１変形スクロール処理のフローチャートその２
【図１２】変形タッチパネルの分解斜視図
【図１３】第２変形スクロール処理のフローチャートその１
【図１４】第２変形スクロール処理のフローチャートその２
【図１５】第２変形スクロール処理のフローチャートその３
【発明を実施するための形態】
【０００８】
＜実施の形態＞
＜概要＞
以下、本発明に係る携帯端末の一例として、液晶パネルとバックライトとからなる液晶ディスプレイを含むタッチパネルを備える携帯端末について説明する。
一般に、携帯端末を利用するユーザは、画像のスクロール期間中において、表示させたい表示対象物がディスプレイに表示されるようになるまで比較的長い時間がかかると予測される場合には、スクロール中の画像をあまり注視せずに比較的速く画像をスクロールさせ、表示させたい表示対象物がディスプレイに表示されるようになるまで比較的長い時間がかからないと予測される場合には、スクロール中の画像を比較的注視しつつ比較的遅く画像をスクロールさせる傾向にある。
【０００９】
このことから、スクロール中の画像をあまり注視しない傾向にある、比較的速く画像をスクロールさせている期間における画像の明るさを、スクロール中の画像を注視する傾向にある、比較的遅く画像をスクロールさせている期間における画像の明るさよりも暗くしても、ユーザに与える違和感は比較的低いと言える。
本実施の形態に係る携帯端末は、いわゆるスマートフォン型携帯通信端末であって、内蔵するバッテリで駆動し、タッチパネルがスクロール領域を含む画像を表示している場合において、そのスクロール領域のスクロール速度が所定の速度以上になるときに、バックライトの光量を少なくすることで、ユーザに与える違和感を比較的低くしつつ、消費電力の削減を図る。
【００１０】
以下、この携帯端末の詳細について、図面を参照しながら説明する。
＜構成＞
図１は、携帯端末１００の外観を示す斜視図である。
同図に示されるように、携帯端末１００は、略直方体の筐体を備えるいわゆるスマートフォン型携帯通信端末であって、筐体の主表面に、タッチパネル１１０とレシーバ孔１２０とマイク孔１３０とを備える。
【００１１】
図２は、携帯端末１００の回路構成を示すブロック図である。
同図に示されるように、携帯端末１００は、ＣＰＵ（Central Processing Unit）２００と通信用ＬＳＩ（Large Scale Integration）２１０とアンテナ２２０とタッチパネルコントローラ２３０とタッチパネル１１０とメモリ２４０とレシーバ２５０とマイク２６０とバッテリ２９０とから構成される。そして、タッチパネル１１０は、液晶パネル２７１とバックライト２７２とからなる液晶ディスプレイ２７０と、タッチパッド２８０とから構成される。
【００１２】
図３は、タッチパネル１１０の分解斜視図である。
同図に示されるように、タッチパネル１１０は、液晶ディスプレイ２７０の表示面に透明なタッチパッド２８０が重ねられて配置されることで構成され、さらに、液晶ディスプレイ２７０は、液晶パネル２７１の背面にバックライト２７２が重ねられて配置されることで構成される。
【００１３】
再び、図２に戻り、携帯端末１００の回路構成の説明を続ける。
レシーバ２５０は、ＣＰＵ２００に接続され、ＣＰＵ２００によって制御され、ＣＰＵ２００から送られる電気信号を音声に変換して、変換した音声を、レシーバ孔１２０（図１参照）を通して筐体外部に出力する機能を有する。
マイク２６０は、ＣＰＵ２００に接続され、マイク孔１３０（図１参照）を通して筐体外部から入力される音声を電気信号に変換して、変換した電気信号をＣＰＵ２００へ送る機能を有する。
【００１４】
アンテナ２２０は、通信用ＬＳＩ２１０に接続され、通信用ＬＳＩ２１０が行う通信に利用される、例えば、金属製のモノポールアンテナである。
通信用ＬＳＩ２１０は、アンテナ２２０とＣＰＵ２００とに接続され、ＣＰＵ２００によって制御され、ＣＰＵ２００から送られて来た送信用信号を変調する変調機能と、変調した信号を、アンテナ２２０を利用して外部の基地局に送信する送信機能と、外部の基地局から送信された信号を、アンテナ２２０を利用して受信する受信機能と、受信した信号を復調してＣＰＵ２００へ送る復調機能とを有する。
【００１５】
液晶パネル２７１は、タッチパネルコントローラ２３０に接続され、タッチパネルコントローラ２３０によって制御される液晶パネルである。
バックライト２７２は、タッチパネルコントローラ２３０に接続され、タッチパネルコントローラ２３０によって光量を制御されるバックライトである。
タッチパッド２８０は、タッチパネルコントローラ３３０に接続され、タッチパネルコントローラ２３０によって制御され、透明電極（例えば、ＩＴＯ（Indium Tin Oxide：酸化インジウムスズ）製）を備える透明なタッチパッドである。
【００１６】
タッチパネルコントローラ２３０は、ＣＰＵ２００と液晶パネル２７１とバックライト２７２とタッチパッド２８０とに接続され、ＣＰＵ２００によって制御され、ＣＰＵ２００から送られてくる画像信号に基づく画像を液晶パネル２７１に表示させる表示機能と、ＣＰＵ２００から送られて来る制御信号に基づく光量でバックライト２７２を点灯させる光量制御機能と、携帯端末１００を利用するユーザによる、タッチパッド２８０を用いて行うユーザ操作を、電気信号に変換してＣＰＵ２００に送る操作受付機能とを有する。
【００１７】
メモリ２４０は、ＣＰＵ２００に接続され、ＲＡＭ（Random Access Memory）とＲＯＭ（Read Only Memory）と着脱可能なフラッシュメモリとから構成され、ＣＰＵ２００の動作を規定するプログラムと、ＣＰＵ２００が利用するデータとを記憶する。
ＣＰＵ２００は、通信用ＬＳＩ２１０とタッチパネルコントローラ２３０とメモリ２４０とレシーバ２５０とマイク２６０とに接続され、メモリ２４０に記憶されているプログラムを実行することで、通信用ＬＳＩ２１０とタッチパネルコントローラ２３０とレシーバ２５０とを制御して、以下の２つの機能を実現する。
【００１８】
スマートフォン制御機能：携帯端末１００を制御して、携帯端末１００に、従来のスマートフォンが有する、スマートフォンとしての一般的な機能と同等な機能、例えば、通話機能、インターネットサイト閲覧機能、メール送受信機能、待ち受け機能等を実現させる機能。このスマートフォン制御機能は、ＣＰＵ２００がメモリ２４０に記憶されているプログラムを実行することで実現される。
【００１９】
スクロール時光量制御機能：携帯端末１００を制御して、携帯端末１００に、その特徴的な動作であるスクロール処理を実現させることで、タッチパネル１１０がスクロール領域を含む画像を表示している場合において、そのスクロール領域のスクロール速度が所定の速度以上になるときにバックライト２７２の光量を少なくし、そのスクロール領域のスクロール速度が再び所定の速度未満になるときにバックライト２７２の光量を再び元の光量に戻すように、バックライト２７２の光量を制御する機能。このスクロール時光量制御機能は、ＣＰＵ２００がメモリ２４０に記憶されているプログラムを実行することで実現される。
【００２０】
なお、スクロール処理については、後程＜スクロール処理＞の項目において、フローチャートを用いて詳細に説明する。
バッテリ２９０は、繰り返し充電され得る二次電池であって、携帯端末１００を構成する電子部品に電力を供給する機能を有する。
上記回路構成を備える携帯端末１００について、以下、機能面から見た構成について説明する。ここでは、携帯端末１００を構成する機能ブロックのうち、携帯端末１００の行う特徴的な処理であるスクロール処理を実現する機能ブロックであるスクロール処理部を中心に説明する。
【００２１】
図４は、スクロール処理部４００を構成する主要な機能ブロックを示すブロック図である。ここでは、携帯端末１００が、第１アプリケーションプログラム４４０と第２アプリケーションプログラムとを実行対象とする場合を例として説明する。
同図に示されるように、スクロール処理部４００は、操作受付部４１０と明るさ調整部４２０と記憶部４３０と第１表示処理部４５０と第１算出部４６０と第２表示処理部４８０と第２算出部４９０とから構成される。これらのうち、第１表示処理部４５０と第１算出部４６０とは、ＣＰＵ２００がメモリ２４０に記憶されている第１アプリケーションプログラム４４０を実行することで実現され、第２表示処理部４８０と第２算出部４９０とは、ＣＰＵ２００がメモリ２４０に記憶されている第２アプリケーションプログラム４７０を実行することで実現される。
【００２２】
操作受付部４１０は、タッチパネル１１０と第１表示処理部４５０と第２表示処理部４８０と連携して動作し、プログラムを実行するＣＰＵ２００と、そのＣＰＵ２００によって制御されるタッチパネルコントローラ２３０とによって実現され、携帯端末１００を利用するユーザからの、タッチパネル１１０への接触操作を受け付ける機能を有する。
第１表示処理部４５０は、操作受付部４１０と第１算出部４６０とタッチパネル１１０と連携して動作し、第１アプリケーションプログラム４４０を実行するＣＰＵ２００と、そのＣＰＵ２００によって制御されるタッチパネルコントローラ２３０とによって実現され、操作受付部４１０によって受け付けられた、第１アプリケーションプログラム４４０に対する接触操作に応じる画像を逐次生成して、タッチパネル１１０に逐次表示させる機能を有する。ここで、第１表示処理部４５０は、例えば、６０フレーム／秒のフレームレートで画像を逐次生成する。
【００２３】
図５は、第１表示処理部４５０によって生成される画像の一例を示す概略図である。ここでは、第１アプリケーションプログラム４４０が、ユーザによって選択された受信メールをタッチパネル１１０に表示させる機能を有するメーラであるとして説明する。
同図は、第１アプリケーションプログラム４４０（メーラ）が、ユーザによって選択された受信メールをタッチパネル１１０に表示させる場合において、第１表示処理部４５０によって生成される画像（以下、「第１種画像」と呼ぶ。）の一例である。
【００２４】
同図に示されるように、第１種画像は、ヘッダ表示領域５１０と本文表示領域５２０と上スクロールボタン５３０と下スクロールボタン５４０とスクロールバー５５０とから構成される。
ヘッダ表示領域５１０は、ユーザによって選択された受信メールのヘッダ情報を表示する領域である。
【００２５】
本文表示領域５２０は、ユーザによって選択された受信メールの本文を表示する領域である。ここでは、例えば、本文のうちの１０行分の文字列が、この本文表示領域５２０に表示される。この本文表示領域５２０は、ユーザからタッチパネル１１０への以下の３種の操作によって、そこに表示される画像がスクロールされ得る。
第１スクロールボタン接触操作とは、ユーザによる、タッチパネル１１０上に表示されている上スクロールボタン５３０、又は下スクロールボタン５４０への接触操作のことである。
【００２６】
ここで、第１表示処理部４５０は、本文表示領域５２０に表示される画像が、上スクロールボタン５３０の接触回数分と同じ行数分、上方向へ画像がスクロールされ、下スクロールボタン５４０の接触回数分と同じ行数分、下方向へ画像がスクロールされるように、逐次第１種画像を生成する。
第１スクロールバースライド操作とは、ユーザによる、タッチパネル１１０上に表示されているスクロールバー５５０へのスライド操作のことである。
【００２７】
ここで、第１表示処理部４５０は、本文表示領域５２０に表示される画像について、スクロールバー５５０のスライド速度に比例するスクロール速度でスクロールされるように逐次第１種画像を生成する。
ここで、スライド速度とは、単位時間当たりのスクロールバーのスライドドット数のことを言い、スクロール速度とは、現フレームと前フレームとの間における、表示対象物の表示位置の変位ドット数のことを言う。例えば、表示対象物が、前フレームから現フレームにかけて１０ドット変位する場合のスクロール速度は、１０ドット／フレームとなる。
【００２８】
第１フリック操作とは、ユーザによる、タッチパネル１１０上に表示されている本文表示領域５２０へのフリック操作のことである。
ここで、第１表示処理部４５０は、本文表示領域５２０に表示される画像について、スクロール開始時点におけるスクロール速度が、フリック操作におけるフリック速度に比例する速度となり、その後徐々にスクロール速度が低下していくように、逐次第１種画像を生成する。
【００２９】
ここで、フリック速度とは、フリック操作における、指等の単位時間当たりの移動距離のことを言う。
再び図４に戻って、スクロール処理部４００の説明を続ける。
第１算出部４６０は、第１表示処理部４５０と明るさ調整部４２０と連携して動作し、第１アプリケーションプログラム４４０を実行するＣＰＵ２００によって実現され、第１表示処理部４５０が画像を生成する毎に、第１アプリケーションプログラム４４０によって定められる所定のアルゴリズムに基づいて、本文表示領域５２０におけるスクロール速度を算出して、明るさ調整部４２０に送出する機能を有する。
【００３０】
第２表示処理部４８０は、操作受付部４１０と第２算出部４９０とタッチパネル１１０と連携して動作し、第２アプリケーションプログラム４７０を実行するＣＰＵ２００と、そのＣＰＵ２００によって制御されるタッチパネルコントローラ２３０とによって実現され、操作受付部４１０によって受け付けられた、第２アプリケーションプログラム４７０に対する接触操作に応じる画像を逐次生成して、タッチパネル１１０に逐次表示させる機能を有する。ここで、第２表示処理部４８０は、例えば、第１表示処理部４５０と同様に６０フレーム／秒のフレームレートで画像を逐次生成する。
【００３１】
図６は、第２表示処理部４８０によって生成される画像の一例を示す概略図である。ここでは、第２アプリケーションプログラム４７０が、ユーザによって指定された地域の地図をタッチパネル１１０に表示させる機能を有する地図表示アプリであるとして説明する。
同図は、第２アプリケーションプログラム４７０（地図表示アプリ）が、ユーザによって指定された地域の地図をタッチパネル１１０に表示させる場合において、第２表示処理部４８０によって生成される画像（以下、「第２種画像」と呼ぶ。）の一例である。
【００３２】
同図に示されるように、第２種画像は、地名表示領域６１０と地図表示領域６２０と上スクロールボタン６３０と下スクロールボタン６４０と左スクロールボタン６５０と右スクロールボタン６６０と上下スクロールバー６７０と左右スクロールバー６８０とから構成される。
地名表示領域６１０は、地図表示領域６２０に表示される地図の地域を示す地名を表示する領域である。
【００３３】
地図表示領域６２０は、ユーザによって指定された地域の地図を表示する領域である。この地図表示領域６２０は、ユーザからタッチパネル１１０への以下の３種の操作によって、そこに表示される画像がスクロールされ得る。
第２スクロールボタン接触操作とは、ユーザによる、タッチパネル１１０上に表示されている上スクロールボタン６３０、下スクロールボタン６４０、左スクロールボタン６５０、又は右スクロールボタン６６０への接触操作のことである。
【００３４】
ここで、第２表示処理部４８０は、地図表示領域６２０に表示される画像が、上スクロールボタン６３０の接触回数に比例した変位量、上方向へ画像がスクロールされ、下スクロールボタン６４０の接触回数に比例した変位量、下方向へ画像がスクロールされ、左スクロールボタン６５０の接触回数に比例した変位量、左方向へ画像がスクロールされ、右スクロールボタン６６０の接触回数に比例した変位量、右方向へ画像がスクロールされるように、逐次第２種画像を生成する。
【００３５】
第２スクロールバースライド操作とは、ユーザによる、タッチパネル１１０上に表示されている上下スクロールバー６７０、又は左右スクロールバー６８０へのスライド操作のことである。
ここで、第２表示処理部４８０は、地図表示領域６２０に表示される画像が、上下スクロールバー６７０のスライド速度に比例するスクロール速度で上下方向へスクロールされ、左右スクロールバー６８０のスライド速度に比例するスクロール速度で左右方向へスクロールされるように逐次第２種画像を生成する。
【００３６】
第２フリック操作とは、ユーザによる、タッチパネル１１０上に表示されている地図表示領域６２０へのフリック操作のことである。
ここで、第２表示処理部４８０は、地図表示領域６２０に表示される画像が、スクロール開始時点におけるスクロール速度が、フリック操作におけるフリック速度に比例する速度となり、その後徐々にスクロール速度が低下していくように、逐次第２種画像を生成する。
【００３７】
再び図４に戻って、スクロール処理部４００の説明を続ける。
第２算出部４９０は、第２表示処理部４８０と明るさ調整部４２０と連携して動作し、第２アプリケーションプログラム４７０を実行するＣＰＵ２００によって実現され、第２表示処理部４８０が画像を生成する毎に、第１表示処理部４５０が画像を生成する毎に、第２アプリケーションプログラム４８０によって定められる所定のアルゴリズムに基づいて、地図表示領域６２０におけるスクロール速度を算出して、明るさ調整部４２０に送出する機能を有する。
【００３８】
記憶部４３０は、プログラムを実行するＣＰＵ２００とメモリ２４０の記憶領域とによって実現され、閾値速度テーブル７００を記憶する機能を有する。
図７は、記憶部４３０が記憶する閾値速度テーブル７００の構成図である。
同図に示されるように、閾値速度テーブル７００は、アプリケーションプログラムＩＤ７１０と閾値速度７２０と光量変更率７３０とが互いに対応付けられて構成される。
【００３９】
アプリケーションプログラムＩＤ７１０は、画像をスクロールさせる機能を有するアプリケーションプログラムを識別するための識別子である。
閾値速度７２０は、対応するアプリケーションプログラムＩＤ７１０で識別されるアプリケーションプログラムがＣＰＵ２００によって実行される状況下において、タッチパネル１１０に表示される画像の少なくとも一部の画像がスクロールされる場合に、その画像のスクロール速度が第１の速度であるときと、第１の速度よりも速い第２の速度であるときとでバックライト２７２の光量を変化させるときの、第１の速度と第２の速度との間を区別するためのスクロール速度であって、第１の速度と第２の速度との間の閾値である。
【００４０】
光量変更率７３０は、対応するアプリケーションプログラムＩＤ７１０で識別されるアプリケーションプログラムがＣＰＵ２００によって実行される状況下において、タッチパネル１１０に表示される画像の少なくとも一部の画像がスクロールされる場合に、その画像のスクロール速度が第１の速度であるときと、第１の速度よりも速い第２の速度であるときとでバックライト２７２の光量を変化させるときの、そのスクロール速度が第１の速度である場合におけるバックライト２７２の光量に対する、そのスクロール速度が第２の速度である場合におけるバックライト２７２の光量の減光率（減光前の光量に対する、光量差の比率）である。
【００４１】
再び図４に戻って、スクロール処理部４００の説明を続ける。
明るさ調整部４２０は、タッチパネル１１０と記憶部４３０と第１算出部４６０と第２算出部４９０と連携して動作し、プログラムを実行するＣＰＵ２００と、そのＣＰＵ２００によって制御されるタッチパネルコントローラ２３０とによって実現され、以下の６つの機能を有する。
【００４２】
第１判定機能とは、ＣＰＵ２００が第１アプリケーションプログラム４４０を実行している場合において、第１算出部４６０からスクロール速度が送られて来るとき、記憶部４３０に記憶される閾値速度テーブル７００を参照して、そのスクロール速度が、第１アプリケーションプログラム４４０を識別するアプリケーションプログラムＩＤ７１０に対応する閾値速度７２０以上であるか否かを判定（以下、この判定を「第１判定」と呼ぶ。）する機能である。
【００４３】
第１減光機能とは、自部の行う第１判定が、否定的なものから肯定的なものに変化した場合に、（１）否定的なものから肯定的なものに変化した時点におけるバックライト２７２の光量を記憶して、（２）バックライト２７２の光量を、記憶部４３０に記憶される閾値速度テーブル７００を参照して、その記憶した光量から、第１アプリケーションプログラム４４０を識別するアプリケーションプログラムＩＤ７１０に対応する光量変更率７３０で示される減光率だけ減光した光量に変更する機能である。
【００４４】
ここで、光量の変更は、タッチパネルコントローラ２３０に、バックライト２７２の光量を制御させることで実現する。
第１増光機能とは、自部の行う第１判定が、肯定的なものから否定的なものに変化した場合に、バックライト２７２の光量を、最後に記憶した光量に変更する機能である。
第２判定機能とは、ＣＰＵ２００が第２アプリケーションプログラム４７０を実行している場合において、第２算出部４９０からスクロール速度が送られて来るとき、記憶部４３０に記憶される閾値速度テーブル７００を参照して、そのスクロール速度が、第２アプリケーションプログラム４７０を識別するアプリケーションプログラムＩＤ７１０に対応する閾値速度７２０以上であるか否かを判定（以下、この判定を「第２判定」と呼ぶ。）する機能である。
【００４５】
第２減光機能とは、自部の行う第２判定が、否定的なものから肯定的なものに変化した場合に、（１）否定的なものから肯定的なものに変化した時点におけるバックライト２７２の光量を記憶して、（２）バックライト２７２の光量を、記憶部４３０に記憶される閾値速度テーブル７００を参照して、その記憶した光量から、第２アプリケーションプログラム４７０を識別するアプリケーションプログラムＩＤ７１０に対応する光量変更率７３０で示される減光率だけ減光した光量に変更する機能である。
【００４６】
第２増光機能とは、自部の行う第２判定が、肯定的なものから否定的なものに変化した場合に、バックライト２７２の光量を、最後に記憶した光量に変更する機能である。
上記構成の携帯端末１００の行う動作について、以下、図面を参照しながら説明する。
＜動作＞
ここでは、携帯端末１００の行う動作のうち、特徴的な動作である、スクロール処理について説明する。
【００４７】
＜スクロール処理＞
スクロール処理は、タッチパネル１１０に表示される画像の少なくとも一部がスクロールしている場合において、（１）そのスクロール領域のスクロール速度が閾値速度以上になるときに、バックライト２７２の光量を少なくし、（２）そのスクロール領域のスクロール速度が再び閾値速度未満になるときに、バックライト２７２の光量を元の光量に戻す処理である。
【００４８】
図８は、スクロール処理のフローチャートである。
スクロール処理は、第１算出部４６０が０以外のスクロール速度を算出したとき、又は、第２算出部４９０が０以外のスクロール速度を算出したときに開始される。すなわち、タッチパネル１１０に第１種画像（図５参照）が表示されている場合において、本文表示領域５２０の画像がスクロールを開始したとき、又は、タッチパネル１１０に第２種画像（図６参照）が表示されている場合において、地図表示領域６２０の画像がスクロールを開始したときに開始される。
【００４９】
スクロール処理が開始されると、明るさ調整部４２０は、記憶部４３０に記憶される閾値速度テーブル７００を参照して、算出されたスクロール速度が、該当するアプリケーションプログラムに対応する閾値速度７２０以上であるか否かを調べる（ステップＳ８００）。すなわち、第１算出部４６０から０以外のスクロール速度が送られて来る場合には、記憶部４３０に記憶される閾値速度テーブル７００を参照して、そのスクロール速度が、第１アプリケーションプログラム４４０を識別するアプリケーションプログラムＩＤ７１０に対応する閾値速度７２０以上（ここでは、１０ドット／フレーム以上）であるか否かを調べ、第２算出部４９０から０以外のスクロール速度が送られて来る場合には、記憶部４３０に記憶される閾値速度テーブル７００を参照して、そのスクロール速度が、第２アプリケーションプログラム４７０を識別するアプリケーションプログラムＩＤ７１０に対応する閾値速度７２０以上（ここでは、２０ドット／フレーム以上）であるか否かを調べる。
【００５０】
ステップＳ８００の処理において、算出されたスクロール速度が、該当するアプリケーションプログラムに対応する閾値速度以上である場合に（ステップＳ８００：Ｙｅｓ）、明るさ調整部４２０は、現時点におけるバックライト２７２の光量を記憶する（ステップＳ８０５）。そして、明るさ調整部４２０は、バックライト２７２の光量を、記憶部４３０に記憶される閾値速度テーブル７００を参照して、記憶する光量に対して、該当するアプリケーションプログラムに対応する光量変更率７３０で示される減光率だけ減光した光量とする（ステップＳ８１０）。すなわち、第１算出部４６０から０以外のスクロール速度が送られて来る場合には、記憶部４３０に記憶される閾値速度テーブル７００を参照して、第１アプリケーションプログラム４４０を識別するアプリケーションプログラムＩＤ７１０に対応する光量変更率７３０で示される減光率（ここでは、２０％）だけ減光した光量とし、第２算出部４９０から０以外のスクロール速度が送られて来る場合には、記憶部４３０に記憶される閾値速度テーブル７００を参照して、第２アプリケーションプログラム４７０を識別するアプリケーションプログラムＩＤ７１０に対応する光量変更率７３０で示される減光率（ここでは、３０％）だけ減光した光量とする。
【００５１】
バックライト２７２の光量を、記憶する光量に対して、該当するアプリケーションプログラムに対応する光量変更率７３０で示される減光率だけ減光した光量とすると、明るさ調整部４２０は、次のフレームまで待機する（ステップＳ８１５）。
次のフレームになると、第１算出部４６０、又は、第２算出部４９０は、新たにスクロール速度を算出して（ステップＳ８２０）明るさ調整部４２０に送出し、明るさ調整部４２０は、そのスクロール速度が０であるか否かを調べる（ステップＳ８２５）。
【００５２】
ステップＳ８２５の処理において、スクロール速度が０でない場合に（ステップＳ８２５：Ｎｏ）、明るさ調整部４２０は、記憶部４３０に記憶される閾値速度テーブル７００を参照して、そのスクロール速度が、該当するアプリケーションプログラムに対応する閾値速度以上であるか否かを調べる（ステップＳ８３０）。
ステップＳ８３０の処理において、そのスクロール速度が、該当するアプリケーションプログラムに対応する閾値速度以上である場合に（ステップＳ８３０：Ｙｅｓ）、明るさ調整部４２０は、再びステップＳ８１０の処理に戻って、ステップＳ８１０以降の処理を繰り返す。
【００５３】
ステップＳ８３０の処理において、そのスクロール速度が、該当するアプリケーションプログラムに対応する閾値速度以上でない場合に（ステップＳ８３０：Ｎｏ）、明るさ調整部４２０は、バックライト２７２の光量を、最後に記憶した光量とする（ステップＳ８３５）。
バックライト２７２の光量を、最後に記憶した光量とすると、明るさ調整部４２０は、再びステップＳ８１５の処理に戻って、ステップＳ８１５以降の処理を繰り返す。
【００５４】
ステップＳ８００の処理において、算出されたスクロール速度が、該当するアプリケーションプログラムに対応する閾値速度以上でない場合に（ステップＳ８００：Ｎｏ）、明るさ調整部４２０は、次のフレームまで待機する（ステップＳ８４０）。
次のフレームになると、第１算出部４６０、又は、第２算出部４９０は、新たにスクロール速度を算出して（ステップＳ８４５）明るさ調整部４２０に送出し、明るさ調整部４２０は、再びステップＳ８００の処理に戻って、ステップＳ８００以降の処理を繰り返す。
【００５５】
ステップＳ８２５の処理において、スクロール速度が０である場合に（ステップＳ８２５：Ｎｏ）、明るさ調整部４２０は、バックライト２７２の光量を、最後に記憶した光量として（ステップＳ８５０）、携帯端末１００は、そのスクロール処理を終了する。
＜第１変形例＞
＜概要＞
以下、本発明に係る携帯端末の一例として、実施の形態に係る携帯端末１００の一部を変形した第１変形携帯端末について説明する。
【００５６】
第１変形携帯端末は、そのハードウエア構成が、実施の形態に係る携帯端末１００と同様の構成となっているが、実行されるソフトウエアの一部、及び、記憶されるデータの一部が、実施の形態に係る携帯端末１００から変形されている。
実施の形態に係る携帯端末１００は、アプリケーションプログラム毎に閾値速度を記憶し、スクロール領域のスクロール速度が閾値速度未満の場合に、タッチパネル１１０を第１の明るさで表示し、スクロール速度が閾値速度以上の場合にタッチパネル１１０の明るさを第１の明るさよりも暗い第２の明るさで表示する構成の例であった。
【００５７】
これに対して、第１変形例に係る第１変形携帯端末は、アプリケーションプログラム毎に第１閾値速度と第２閾値速度とを記憶し、スクロール領域のスクロール速度が第１閾値速度未満の場合に、タッチパネル１１０を第１の明るさで表示し、スクロール速度が第１閾値速度以上第２閾値速度未満の場合にタッチパネル１１０を第１の明るさよりも暗い第２の明るさで表示し、スクロール速度が第２閾値速度以上の場合にタッチパネルを第２の明るさよりも暗い第３の明るさで表示する構成の例である。
【００５８】
以下、本第１変形例に係る第１変形携帯端末について、実施の形態１に係る携帯端末１００との相違点を中心に説明する。
＜構成＞
第１変形携帯端末は、実施の形態１に係る明るさ調整部４２０（図４参照）が第１変形明るさ調整部に変更され、実施の形態１に係る記憶部４３０が変形記憶部に変更されるように変形されている。
【００５９】
変形記憶部は、変形閾値速度テーブル９００を記憶する機能を有する。
図９は、変形記憶部が記憶する変形閾値速度テーブル９００の構成図である。
同図に示されるように、変形閾値速度テーブル９００は、アプリケーションプログラムＩＤ９１０と第１閾値速度９２０と第１光量変更率９３０と第２閾値速度９４０と第２光量変更率９５０とが互いに対応付けられて構成される。
【００６０】
アプリケーションプログラムＩＤ９１０は、実施の形態１に係るアプリケーションプログラムＩＤ７１０（図７参照）と同様に、画像をスクロールさせる機能を有するアプリケーションプログラムを識別するための識別子である。
第１閾値速度９２０は、対応するアプリケーションプログラムＩＤ９１０で識別されるアプリケーションプログラムがＣＰＵ２００によって実行される状況下において、タッチパネル１１０に表示される画像の少なくとも一部の画像がスクロールされる場合に、その画像のスクロール速度が第１の速度であるときと、第１の速度よりも速い第２の速度であるときとでバックライト２７２の光量を変化させるときの、第１の速度と第２の速度との間を区別するためのスクロール速度である。
【００６１】
第１光量変更率９３０は、対応するアプリケーションプログラムＩＤ９１０で識別されるアプリケーションプログラムがＣＰＵ２００によって実行される状況下において、タッチパネル１１０に表示される画像の少なくとも一部の画像がスクロールされる場合に、その画像のスクロール速度が第１の速度であるときと、第１の速度よりも速い第２の速度であるときとでバックライト２７２の光量を変化させるときの、そのスクロール速度が第１の速度である場合におけるバックライト２７２の光量に対する、そのスクロール速度が第２の速度である場合におけるバックライト２７２の光量の減光率である。
【００６２】
第２閾値速度９４０は、対応するアプリケーションプログラムＩＤ９１０で識別されるアプリケーションプログラムがＣＰＵ２００によって実行される状況下において、タッチパネル１１０に表示される画像の少なくとも一部の画像がスクロールされる場合に、その画像のスクロール速度が第２の速度であるときと、第２の速度よりも速い第３の速度であるときとでバックライト２７２の光量を変化させるときの、第２の速度と第３の速度との間を区別するためのスクロール速度である。
【００６３】
第２光量変更率９５０は、対応するアプリケーションプログラムＩＤ９１０で識別されるアプリケーションプログラムがＣＰＵ２００によって実行される状況下において、タッチパネル１１０に表示される画像の少なくとも一部の画像がスクロールされる場合に、その画像のスクロール速度が第２の速度であるときと、第２の速度よりも速い第３の速度であるときとでバックライト２７２の光量を変化させるときの、そのスクロール速度が第１の速度である場合におけるバックライト２７２の光量に対する、そのスクロール速度が第３の速度である場合におけるバックライト２７２の光量の減光率である。
【００６４】
第１変形明るさ調整部は、以下の１２の機能を有する。
第１変形判定機能とは、ＣＰＵ２００が第１アプリケーションプログラム４４０を実行している場合において、第１算出部４６０からスクロール速度が送られて来るとき、変形記憶部に記憶される変形閾値速度テーブル９００を参照して、そのスクロール速度が、第１アプリケーションプログラム４４０を識別するアプリケーションプログラムＩＤ９１０に対応する第１閾値速度９２０以上であるか否かを判定（以下、この判定を「第１変形判定」と呼ぶ。）する機能である。
【００６５】
第２変形判定機能とは、ＣＰＵ２００が第１アプリケーションプログラム４４０を実行している場合において、第１算出部４６０からスクロール速度が送られて来るとき、変形記憶部に記憶される変形閾値速度テーブル９００を参照して、そのスクロール速度が、第１アプリケーションプログラム４４０を識別するアプリケーションプログラムＩＤ９１０に対応する第２閾値速度９４０以上であるか否かを判定（以下、この判定を「第２変形判定」と呼ぶ。）する機能である。
【００６６】
第１変形減光機能とは、自部の行う第１変形判定が、否定的なものから肯定的なものに変化した場合に、（１）否定的なものから肯定的なものに変化した時点におけるバックライト２７２の光量を記憶して、（２）自部の行う第２変形判定が、否定的なものから肯定的なものに変化しなければ、バックライト２７２の光量を、変形記憶部に記憶される変形閾値速度テーブル９００を参照して、その記憶した光量から、第１アプリケーションプログラム４４０を識別するアプリケーションプログラムＩＤ９１０に対応する第１光量変更率９３０で示される減光率だけ減光した光量に変更する機能である。
【００６７】
第２変形減光機能とは、自部の行う第２変形判定が、否定的なものから肯定的なものに変化した場合に、バックライト２７２の光量を、変形記憶部に記憶される変形閾値速度テーブル９００を参照して、最後に記憶した光量から、第１アプリケーションプログラム４４０を識別するアプリケーションプログラムＩＤ９１０に対応する第２光量変更率９５０で示される減光率だけ減光した光量に変更する機能である。
【００６８】
第１変形増光機能とは、自部の行う第１変形判定が、肯定的なものから否定的なものに変化した場合に、バックライト２７２の光量を、最後に記憶した光量に変更する機能。
第２変形増光機能とは、自部の行う第２変形判定が、肯定的なものから否定的なものに変化した場合において、自部の行う第１変形判定が、肯定的なものから否定的なものに変化しなかったとき、バックライト２７２の光量を、変形記憶部に記憶される変形閾値速度テーブル９００を参照して、最後に記憶した光量から、第１アプリケーションプログラム４４０を識別するアプリケーションプログラムＩＤ９１０に対応する第１光量変更率９３０で示される減光率だけ減光した光量に変更する機能である。
【００６９】
第３変形判定機能とは、ＣＰＵ２００が第２アプリケーションプログラム４７０を実行している場合において、第１算出部４６０からスクロール速度が送られて来るとき、変形記憶部に記憶される変形閾値速度テーブル９００を参照して、そのスクロール速度が、第２アプリケーションプログラム４７０を識別するアプリケーションプログラムＩＤ９１０に対応する第１閾値速度９２０以上であるか否かを判定（以下、この判定を「第３変形判定」と呼ぶ。）する機能である。
【００７０】
第４変形判定機能とは、ＣＰＵ２００が第２アプリケーションプログラム４７０を実行している場合において、第１算出部４６０からスクロール速度が送られて来るとき、変形記憶部に記憶される変形閾値速度テーブル９００を参照して、そのスクロール速度が、第２アプリケーションプログラム４７０を識別するアプリケーションプログラムＩＤ９１０に対応する第２閾値速度９４０以上であるか否かを判定（以下、この判定を「第４変形判定」と呼ぶ。）する機能である。
【００７１】
第３変形減光機能とは、自部の行う第３変形判定が、否定的なものから肯定的なものに変化した場合に、（１）否定的なものから肯定的なものに変化した時点におけるバックライト２７２の光量を記憶して、（２）自部の行う第４変形判定が、否定的なものから肯定的なものに変化しなければ、バックライト２７２の光量を、変形記憶部に記憶される変形閾値速度テーブル９００を参照して、その記憶した光量から、第２アプリケーションプログラム４７０を識別するアプリケーションプログラムＩＤ９１０に対応する第２光量変更率９５０で示される減光率だけ減光した光量に変更する機能である。
【００７２】
第４変形減光機能とは、自部の行う第４変形判定が、否定的なものから肯定的なものに変化した場合に、バックライト２７２の光量を、変形記憶部に記憶される変形閾値速度テーブル９００を参照して、最後に記憶した光量から、第２アプリケーションプログラム４７０を識別するアプリケーションプログラムＩＤ９１０に対応する第２光量変更率９５０で示される減光率だけ減光した光量に変更する機能である。
【００７３】
第３変形増光機能とは、自部の行う第３変形判定が、肯定的なものから否定的なものに変化した場合に、バックライト２７２の光量を、最後に記憶した光量に変更する機能である。
第４変形増光機能とは、自部の行う第４変形判定が、肯定的なものから否定的なものに変化した場合において、自部の行う第３変形判定が、肯定的なものから否定的なものに変化しなかったとき、バックライト２７２の光量を、変形記憶部に記憶される変形閾値速度テーブル９００を参照して、最後に記憶した光量から、第２アプリケーションプログラム４７０を識別するアプリケーションプログラムＩＤ９１０に対応する第１光量変更率９３０で示される減光率だけ減光した光量に変更する機能である。
【００７４】
上記構成の第１変形携帯端末の行う動作について、以下、図面を参照しながら説明する。
＜動作＞
ここでは、第１変形携帯端末の行う動作のうち、特徴的な動作である、第１変形スクロール処理について説明する。
【００７５】
＜第１変形スクロール処理＞
第１変形スクロール処理は、実施の形態１に係るスクロール処理（図８参照）からその処理の一部が変更されるように変形された処理であって、タッチパネル１１０に表示される画像の少なくとも一部がスクロールしている場合において、（１）そのスクロール領域のスクロール速度が第１閾値速度以上第２閾値速度未満になるときに、バックライト２７２の光量を少なくして第１光量とし、（２）さらに、スクロール速度が第２閾値速度以上になるときに、バックライト２７２の光量を第１光量よりも少ない第２光量とし、（３）スクロール速度が再び第１閾値速度以上第２閾値速度未満になるときに、バックライト２７２の光量を第１光量に戻し、（４）さらに、スクロール速度が再び第１閾値速度未満になるときに、バックライト２７２の光量を元の光量に戻す処理である。
【００７６】
図１０、図１１は、第１変形スクロール処理のフローチャートである。
図１０、図１１に示されるように、第１変形スクロール処理は、実施の形態１に係るスクロール処理から、ステップＳ８００の処理とステップＳ８１０の処理とステップＳ８３０の処理とが削除され、ステップＳ１０００の処理とステップＳ１００７〜ステップＳ１０１２の処理とステップＳ１１００の処理とが追加されるように変形されている。
【００７７】
ここでは、ステップＳ１０００の処理とステップＳ１００７〜ステップＳ１０１２の処理とステップＳ１１００の処理とを中心に説明する。
第１変形スクロール処理は、実施の形態１に係るスクロール処理と同様に、第１算出部４６０が０以外のスクロール速度を算出したとき、又は、第２算出部４９０が０以外のスクロール速度を算出したときに開始される。
【００７８】
第１変形スクロール処理が開始されると、第１変形明るさ調整部は、変形記憶部に記憶される変形閾値速度テーブル９００を参照して、算出されたスクロール速度が、該当するアプリケーションプログラムに対応する第１閾値速度９２０以上であるか否かを調べる（ステップＳ１０００）。
ステップＳ１０００の処理において、算出されたスクロール速度が、該当するアプリケーションプログラムに対応する第１閾値速度９２０以上である場合に（ステップＳ１０００：Ｙｅｓ）、第１変形携帯端末は、ステップＳ８０５の処理に進む。
【００７９】
ステップＳ１０００の処理において、算出されたスクロール速度が、該当するアプリケーションプログラムに対応する第１閾値速度９２０以上でない場合に（ステップＳ１０００：Ｎｏ）、第１変形携帯端末は、ステップＳ８４０の処理に進む。
ステップＳ８０５の処理が終了すると、第１変形明るさ調整部は、変形記憶部に記憶される変形閾値速度テーブル９００を参照して、算出されたスクロール速度が、該当するアプリケーションプログラムに対応する第２閾値速度９４０以上であるか否かを調べる（ステップＳ１００７）。
【００８０】
ステップＳ１００７の処理において、算出されたスクロール速度が、該当するアプリケーションプログラムに対応する第２閾値速度９４０以上である場合に（ステップＳ１００７：Ｙｅｓ）、第１変形明るさ調整部は、バックライト２７２の光量を、変形記憶部に記憶される変形閾値速度テーブル９００を参照して、記憶する光量に対して、該当するアプリケーションプログラムに対応する第２光量変更率９５０で示される減光率だけ減光した光量とする（ステップＳ１０１０）。
【００８１】
ステップＳ１００７の処理において、算出されたスクロール速度が、該当するアプリケーションプログラムに対応する第２閾値速度９４０以上でない場合に（ステップＳ１００７：Ｎｏ）、第１変形明るさ調整部は、バックライト２７２の光量を、変形記憶部に記憶される変形閾値速度テーブル９００を参照して、記憶する光量に対して、該当するアプリケーションプログラムに対応する第１光量変更率９３０で示される減光率だけ減光した光量とする（ステップＳ１０１２）。
【００８２】
ステップＳ１０１０の処理が終了した場合、又は、ステップＳ１０１２の処理が終了した場合に、第１変形携帯端末は、ステップＳ８１５の処理に進む。
ステップＳ８２５の処理において、スクロール速度が０でない場合に（ステップＳ８２５：Ｎｏ）、第１変形明るさ調整部は、変形記憶部に記憶される変形閾値速度テーブル９００を参照して、そのスクロール速度が、該当するアプリケーションプログラムに対応する第１閾値速度９２０以上であるか否かを調べる（ステップＳ１１００）。
【００８３】
ステップＳ１１００の処理において、そのスクロール速度が、該当するアプリケーションプログラムに対応する第１閾値速度９２０以上である場合に（ステップＳ１１００：Ｙｅｓ）、第１変形携帯端末は、ステップＳ１００７の処理に進む。
ステップＳ１１００の処理において、そのスクロール速度が、該当するアプリケーションプログラムに対応する第１閾値速度９２０以上でない場合に（ステップＳ１１００：Ｎｏ）、第１変形携帯端末は、ステップＳ８３５の処理に進む。
＜第２変形例＞
＜概要＞
以下、本発明に係る携帯端末の一例として、実施の形態に係る携帯端末１００の一部を変形した第２変形携帯端末について説明する。
【００８４】
第２変形携帯端末は、そのハードウエア構成が、実施の形態に係る携帯端末１００から、タッチパネル１１０（図３参照）が変形タッチパネルに変更されるように変形され、さらに、実行されるソフトウエアの一部、及び、記憶されるデータの一部が、実施の形態に係る携帯端末１００から変形されている。
図１２は、変形タッチパネルの分解斜視図である。
【００８５】
同図に示されるように、変形タッチパネルは、実施の形態に係るタッチパネル１１０から、バックライト２７２が、第１バックライト１２７２と第２バックライト１２７３とに分割されるように変形されている。そして、このことにより、第１バックライト１２７２の光量と第２バックライト１２７３の光量とが、互いに独立に制御され得るようになっている。
【００８６】
実施の形態に係る携帯端末１００は、スクロール領域の位置、大きさに関わらず、そのスクロール領域のスクロール速度に応じてバックライト２７２の光量を変更する構成の例であった。
これに対して、第２変形例に係る第２変形携帯端末は、スクロール領域が、第１バックライト１２７２に対応する領域に含まれている場合には、そのスクロール領域のスクロール速度に応じて、第１バックライト１２７２の光量を変更し、スクロール領域が、第２バックライト１２７３に対応する領域に含まれている場合には、そのスクロール領域のスクロール速度に応じて、第２バックライト１２７３の光量を変更する構成の例である。
【００８７】
以下、本第２変形例に係る第２変形携帯端末について、実施の形態１に係る携帯端末１００との相違点を中心に説明する。
＜構成＞
第２変形携帯端末は、実施の形態に係る携帯端末１００に対して、上述のハードウエア構成におけるタッチパネルの変形に加えて、機能構成において、明るさ調整部４２０（図４参照）が、第２変形明るさ調整部に変更されるように変形されている。
【００８８】
第２変形明るさ調整部は、実施の形態１に係る明るさ調整部４２０の有する、第１判定機能と第２判定機能とに加えて、以下の９つの機能を有する。
領域判定機能とは、第１算出部４６０からスクロール速度が送られて来る場合に、対応するスクロール領域が、（１）第１バックライト１２７２に対応する領域にのみ含まれているか、（２）第２バックライト１２７３に対応する領域にのみ含まれているか、（３）第１バックライト１２７２に対応する領域と第２バックライト１２７３に対応する領域との双方に含まれているか、のいずれであるかを判定する機能である。
【００８９】
第１領域第１減光機能とは、自部の行う領域判定機能が、（１）第１バックライト１２７２に対応する領域にのみ含まれていると判定する場合、又は（３）第１バックライト１２７２に対応する領域と第２バックライト１２７３に対応する領域との双方に含まれていると判定する場合において、自部の行う第１判定が、否定的なものから肯定的なものに変化したときに、（１）否定的なものから肯定的なものに変化した時点における第１バックライト１２７２の光量を記憶して、（２）第１バックライト１２７２の光量を、記憶部４３０に記憶される閾値速度テーブル７００を参照して、その記憶した光量から、第１アプリケーションプログラム４４０を識別するアプリケーションプログラムＩＤ７１０に対応する光量変更率７３０で示される減光率だけ減光した光量に変更する機能である。
【００９０】
第１領域第１増光機能とは、自部の行う領域判定機能が、（１）第１バックライト１２７２に対応する領域にのみ含まれていると判定する場合、又は（３）第１バックライト１２７２に対応する領域と第２バックライト１２７３に対応する領域との双方に含まれていると判定する場合において、自部の行う第１判定が、肯定的なものから否定的なものに変化した場合に、第１バックライト１２７２の光量を、最後に記憶した光量に変更する機能である。
【００９１】
第２領域第１減光機能とは、自部の行う領域判定機能が、（２）第２バックライト１２７３に対応する領域にのみ含まれていると判定する場合、又は（３）第１バックライト１２７２に対応する領域と第２バックライト１２７３に対応する領域との双方に含まれていると判定する場合において、自部の行う第１判定が、否定的なものから肯定的なものに変化したときに、（１）否定的なものから肯定的なものに変化した時点における第２バックライト１２７３の光量を記憶して、（２）第２バックライト１２７３の光量を、記憶部４３０に記憶される閾値速度テーブル７００を参照して、その記憶した光量から、第１アプリケーションプログラム４４０を識別するアプリケーションプログラムＩＤ７１０に対応する光量変更率７３０で示される減光率だけ減光した光量に変更する機能である。
【００９２】
第２領域第１増光機能とは、自部の行う領域判定機能が、（２）第２バックライト１２７３に対応する領域にのみ含まれていると判定する場合、又は（３）第１バックライト１２７２に対応する領域と第２バックライト１２７３に対応する領域との双方に含まれていると判定する場合において、自部の行う第１判定が、肯定的なものから否定的なものに変化した場合に、第２バックライト１２７３の光量を、最後に記憶した光量に変更する機能である。
【００９３】
第１領域第２減光機能とは、自部の行う領域判定機能が、（１）第１バックライト１２７２に対応する領域にのみ含まれていると判定する場合、又は（３）第１バックライト１２７２に対応する領域と第２バックライト１２７３に対応する領域との双方に含まれていると判定する場合において、自部の行う第２判定が、否定的なものから肯定的なものに変化したときに、（１）否定的なものから肯定的なものに変化した時点における第１バックライト１２７２の光量を記憶して、（２）第１バックライト１２７２の光量を、記憶部４３０に記憶される閾値速度テーブル７００を参照して、その記憶した光量から、第２アプリケーションプログラム４７０を識別するアプリケーションプログラムＩＤ７１０に対応する光量変更率７３０で示される減光率だけ減光した光量に変更する機能である。
【００９４】
第１領域第２増光機能とは、自部の行う領域判定機能が、（１）第１バックライト１２７２に対応する領域にのみ含まれていると判定する場合、又は（３）第１バックライト１２７２に対応する領域と第２バックライト１２７３に対応する領域との双方に含まれていると判定する場合において、自部の行う第２判定が、肯定的なものから否定的なものに変化した場合に、第１バックライト１２７２の光量を、最後に記憶した光量に変更する機能である。
【００９５】
第２領域第２減光機能とは、自部の行う領域判定機能が、（２）第２バックライト１２７３に対応する領域にのみ含まれていると判定する場合、又は（３）第１バックライト１２７２に対応する領域と第２バックライト１２７３に対応する領域との双方に含まれていると判定する場合において、自部の行う第２判定が、否定的なものから肯定的なものに変化したときに、（１）否定的なものから肯定的なものに変化した時点における第２バックライト１２７３の光量を記憶して、（２）第２バックライト１２７３の光量を、記憶部４３０に記憶される閾値速度テーブル７００を参照して、その記憶した光量から、第２アプリケーションプログラム４７０を識別するアプリケーションプログラムＩＤ７１０に対応する光量変更率７３０で示される減光率だけ減光した光量に変更する機能である。
【００９６】
第２領域第２増光機能とは、自部の行う領域判定機能が、（２）第２バックライト１２７３に対応する領域にのみ含まれていると判定する場合、又は（３）第１バックライト１２７２に対応する領域と第２バックライト１２７３に対応する領域との双方に含まれていると判定する場合において、自部の行う第２判定が、肯定的なものから否定的なものに変化した場合に、第２バックライト１２７３の光量を、最後に記憶した光量に変更する機能である。
【００９７】
上記構成の第２変形携帯端末の行う動作について、以下、図面を参照しながら説明する。
＜動作＞
ここでは、第２変形携帯端末の行う動作のうち、特徴的な動作である、第２変形スクロール処理について説明する。
【００９８】
＜第２変形スクロール処理＞
第２変形スクロール処理は、実施の形態１に係るスクロール処理（図８参照）からその処理の一部が変更されるように変形された処理であって、（１）スクロール領域が第１バックライト１２７２に対応する領域に含まれている場合において、（ａ）そのスクロール領域のスクロール速度が閾値速度以上になるときに、第１バックライト１２７２の光量を少なくし、（ｂ）そのスクロール領域のスクロール速度が再び閾値速度未満になるときに、第１バックライト１２７２の光量を元の光量に戻し、（２）スクロール領域が第２バックライト１２７３に対応する領域に含まれている場合において、（ａ）そのスクロール領域のスクロール速度が閾値速度以上になるときに、第２バックライト１２７３の光量を少なくし、（ｂ）そのスクロール領域のスクロール速度が再び閾値速度未満になるときに、第２バックライト１２７３の光量を元の光量に戻す処理である。
【００９９】
図１３、図１４、図１５は、第２変形スクロール処理のフローチャートである。
図１３、図１４、図１５に示されるように、第２変形スクロール処理は、実施の形態１に係るスクロール処理から、ステップＳ８０５の処理とステップＳ８１０の処理とステップＳ８３５の処理とが削除され、ステップＳ１３０２〜ステップＳ１３１０の処理と１３３５の処理とステップＳ１４０２〜ステップＳ１４１０の処理とステップＳ１４３５の処理とステップＳ１５０５〜ステップＳ１５１０の処理とステップＳ１５３５の処理とが追加されるように変形されている。
【０１００】
なお、ステップＳ８１５ａの処理とステップＳ８１５ｂの処理とステップＳ８１５ｃの処理とは、ステップＳ８１５の処理と同等の処理であり、ステップＳ８２０ａの処理とステップＳ８２０ｂの処理とステップＳ８２０ｃの処理とは、ステップＳ８２０の処理と同等の処理であり、ステップＳ８２５ａの処理とステップＳ８２５ｂの処理とステップＳ８２５ｃの処理とは、ステップＳ８２５の処理と同等の処理であり、ステップＳ８３０ａの処理とステップＳ８３０ｂの処理とステップＳ８３０ｃの処理とは、ステップＳ８３０の処理と同等の処理である。
【０１０１】
ここでは、ステップＳ１３０２〜ステップＳ１３１０の処理とステップＳ１３３５の処理とステップＳ１４０２〜ステップＳ１４１０の処理とステップＳ１４３５の処理とステップＳ１５０５〜ステップＳ１５１０の処理とステップＳ１５３５の処理とを中心に説明する。
第２変形スクロール処理は、実施の形態１に係るスクロール処理と同様に、第１算出部４６０が０以外のスクロール速度を算出したとき、又は、第２算出部４９０が０以外のスクロール速度を算出したときに開始される。
【０１０２】
第２変形スクロール処理が開始されると、第２変形携帯端末は、ステップＳ８００の処理を行う。
ステップＳ８００の処理において、算出されたスクロール速度が、該当するアプリケーションプログラムに対応する閾値速度以上である場合に（ステップＳ８００：Ｙｅｓ）、第２変形明るさ調整部は、対応するスクロール領域が、第１バックライト１２７２に対応する領域にのみ含まれているか否かを調べる（ステップＳ１３０２）。
【０１０３】
ステップＳ１３０２の処理において、対応するスクロール領域が、第１バックライト１２７２に対応する領域にのみ含まれている場合に（ステップＳ１３０２：Ｙｅｓ）、第２変形明るさ調整部は、現時点における第１バックライト１２７２の光量を記憶する（ステップＳ１３０５）。そして、第２変形明るさ調整部は、第１バックライト１２７２の光量を、記憶部４３０に記憶される閾値速度テーブル７００を参照して、記憶する光量に対して、該当するアプリケーションプログラムに対応する光量変更率７３０で示される減光率だけ減光した光量とする（ステップＳ１３１０）。
【０１０４】
ステップＳ１３１０の処理が終了すると、第２変形携帯端末は、ステップＳ８１５ａの処理に進む。
ステップＳ８３０ａの処理において、そのスクロール速度が、該当するアプリケーションプログラムに対応する閾値速度以上である場合に（ステップＳ８３０ａ：Ｙｅｓ）、第２変形明るさ調整部は、ステップＳ１３１０の処理に進む。
【０１０５】
ステップＳ８３０ａの処理において、そのスクロール速度が、該当するアプリケーションプログラムに対応する閾値速度以上でない場合に（ステップＳ８３０ａ：Ｎｏ）、第２変形明るさ調整部は、第１バックライト１２７２の光量を、最後に記憶した光量とする（ステップＳ１３３５）。
ステップＳ１３０２の処理において、対応するスクロール領域が、第１バックライト１２７２に対応する領域にのみ含まれていない場合に（ステップＳ１３０２：Ｎｏ）、第２変形明るさ調整部は、対応するスクロール領域が、第２バックライト１２７３に対応する領域にのみ含まれているか否かを調べる（ステップＳ１４０２）。
【０１０６】
ステップＳ１４０２の処理において、対応するスクロール領域が、第２バックライト１２７３に対応する領域にのみ含まれている場合に（ステップＳ１４０２：Ｙｅｓ）、第２変形明るさ調整部は、現時点における第２バックライト１２７３の光量を記憶する（ステップＳ１４０５）。そして、第２変形明るさ調整部は、第２バックライト１２７３の光量を、記憶部４３０に記憶される閾値速度テーブル７００を参照して、記憶する光量に対して、該当するアプリケーションプログラムに対応する光量変更率７３０で示される減光率だけ減光した光量とする（ステップＳ１４１０）。
【０１０７】
ステップＳ１４１０の処理が終了すると、第２変形携帯端末は、ステップＳ８１５ｂの処理に進む。
ステップＳ８３０ｂの処理において、そのスクロール速度が、該当するアプリケーションプログラムに対応する閾値速度以上である場合に（ステップＳ８３０ｂ：Ｙｅｓ）、第２変形明るさ調整部は、ステップＳ１４１０の処理に進む。
【０１０８】
ステップＳ８３０ｂの処理において、そのスクロール速度が、該当するアプリケーションプログラムに対応する閾値速度以上でない場合に（ステップＳ８３０ｂ：Ｎｏ）、第２変形明るさ調整部は、第２バックライト１２７３の光量を、最後に記憶した光量とする（ステップＳ１４３５）。
ステップＳ１４０２の処理において、対応するスクロール領域が、第２バックライト１２７３に対応する領域にのみ含まれていない場合に（ステップＳ１４０２：Ｎｏ）、第２変形明るさ調整部は、現時点における第１バックライト１２７２の光量と第２バックライト１２７３の光量とを記憶する（ステップＳ１５０５）。そして、第２変形明るさ調整部は、第１バックライト１２７２の光量と第２バックライト１２７３の光量とを、記憶部４３０に記憶される閾値速度テーブル７００を参照して、記憶する光量に対して、該当するアプリケーションプログラムに対応する光量変更率７３０で示される減光率だけ減光した光量とする（ステップＳ１５１０）。
【０１０９】
ステップＳ１５１０の処理が終了すると、第２変形携帯端末は、ステップＳ８１５ｃの処理に進む。
ステップＳ８３０ｃの処理において、そのスクロール速度が、該当するアプリケーションプログラムに対応する閾値速度以上である場合に（ステップＳ８３０ｃ：Ｙｅｓ）、第２変形明るさ調整部は、ステップＳ１５１０の処理に進む。
【０１１０】
ステップＳ８３０ｃの処理において、そのスクロール速度が、該当するアプリケーションプログラムに対応する閾値速度以上でない場合に（ステップＳ８３０ｃ：Ｎｏ）、第２変形明るさ調整部は、第１バックライト１２７２の光量と第２バックライト１２７３の光量とを、最後に記憶した光量とする（ステップＳ１４３５）。
以上のように、各実施形態では、第２の速度でスクロールしている場合におけるディスプレイに表示される画像の明るさが、第１の速度でスクロールしている場合におけるディスプレイに表示される画像の明るさよりも暗くなるように画像の明るさが調整される。そして、このことによって、この携帯端末は、一般的な画像の明るさで画像を表示していた場合において、その画像が第２の速度でスクロールされるときに、その画像の明るさを、一般的な画像の明るさよりも暗くすることとなり、その消費電力の低減を実現する。
＜補足＞
以上、本発明に係る携帯端末の一実施形態として、実施の形態と第１変形例と第２変形例とにおいて、それぞれ、携帯端末１００と第１変形携帯端末と第２変形携帯端末とを例として説明したが、以下のように変形することも可能であり、本発明は上述した実施の形態、第１変形例、第２変形例通りの携帯端末に限られないことはもちろんである。
【０１１１】
（１）実施の形態において、携帯端末１００は、バックライトの光量が調整されることで、ディスプレイに表示される画像の明るさが調整され得る液晶ディスプレイを備える構成の例であった。しかしながら、携帯端末１００が備えるディスプレイは、表示される画像の明るさが調整され得るディスプレイであれば、必ずしも、液晶ディスプレイである必要はない。一例として、自発光素子からなるディスプレイ（例えば、有機ＥＬ（Electro-Luminescence）ディスプレイ）備える構成の例等が考えられる。このようなディスプレイでは、例えば、各発光素子の輝度を調整することで、表示される画像の明るさが調整され得る。
【０１１２】
（２）実施の形態において、携帯端末１００は、いわゆるスマートフォン型携帯通信端末である構成の例であった。しかしながら、携帯端末１００は、スクロール処理と同等の処理を行う機能を有していれば、必ずしも、いわゆるスマートフォン型携帯通信端末である必要はない。一例として、スクロール処理と同等の処理を行う機能を有する、タブレット型パソコン、ＰＤＡ（Personal Digital Assistant:携帯情報端末）、折り畳み式携帯通信端末等の例が考えられる。
【０１１３】
（３）実施の形態において、携帯端末１００は、スクロール処理の対象となるアプリケーションプログラムが、第１アプリケーションプログラム４４０と第２アプリケーションプログラム４７０との２つである構成の例であった。しかしながら、スクロール処理の対象となるプログラムが存在する構成であれば、スクロール処理の対象となるアプリケーションプログラムの数は、必ずしも、２つである構成に限られず、例えば、スクロール処理の対象となるアプリケーションプログラムが４つである構成であっても構わない。
【０１１４】
（４）上記実施の形態及び上記変形例をそれぞれ組み合わせるとしてもよい。
（５）以下、さらに本発明の一実施形態に係る携帯端末の構成及びその変形例と各効果について説明する。
（ａ）本発明の一実施形態に係る携帯端末は、ディスプレイと、前記ディスプレイにおける画像表示領域の少なくとも一部分であるスクロール対象領域の画像がスクロールするように、前記ディスプレイに画像を表示させる表示処理を行う表示処理部と、前記スクロール対象領域の画像のスクロール速度を算出する算出処理を行う算出部と、前記算出部によって算出される前記スクロール速度が第１の速度よりも速い第２の速度である場合において、前記第１の速度の場合に前記ディスプレイに表示される画像よりも、前記第２の速度の場合に前記ディスプレイに表示される画像が明るくなるように、前記ディスプレイに表示される画像の明るさを調整する明るさ調整部とを備えることを特徴とする。
【０１１５】
携帯端末を利用するユーザは、表示させたい表示対象物をディスプレイに表示させるために、ディスプレイに表示される画像をスクロールさせることがある。そして、画像のスクロール期間中において、表示させたい表示対象物がディスプレイに表示されるようになるまで比較的長い時間がかかると予測される場合には、スクロール中の画像をあまり注視せずに比較的速く画像をスクロールさせ、表示させたい表示対象物がディスプレイに表示されるようになるまで比較的長い時間がかからないと予測される場合には、スクロール中の画像を比較的注視しつつ比較的遅く画像をスクロールさせる傾向にある。
【０１１６】
このことから、スクロール中の画像をあまり注視しない傾向にある、比較的速く画像をスクロールさせている期間における画像の明るさを、スクロール中の画像を注視する傾向にある、比較的遅く画像をスクロールさせている期間における画像の明るさよりも暗くしても、ユーザに与える違和感は比較的低いと言える。
上記構成を備える本実施の形態に係る携帯端末によると、第２の速度でスクロールしている場合におけるディスプレイに表示される画像の明るさが、第１の速度でスクロールしている場合におけるディスプレイに表示される画像の明るさよりも暗くなるように画像の明るさが調整される。そして、このことによって、この携帯端末は、一般的な画像の明るさで画像を表示していた場合において、その画像が第２の速度でスクロールされるときに、その画像の明るさを、一般的な画像の明るさよりも暗くすることとなり、その消費電力の低減を実現する。
【０１１７】
（ｂ）また、前記スクロール対象領域の画像をスクロールさせるためのスクロール操作を受け付ける受付部を備え、前記表示処理部は、前記受付部によって前記スクロール操作が受け付けられた場合に、前記スクロール対象領域の画像が、当該スクロール操作に応じてスクロールするように、前記表示処理を行うとしてもよい。
これにより、携帯端末を利用するユーザによるスクロール操作に応じて、スクロール対象領域の画像をスクロールさせることができるようになる。
【０１１８】
（ｃ）また、前記第１の速度と前記第２の速度との間を区別するための閾値速度を記憶する記憶部を備え、前記明るさ調整部は、前記記憶部に記憶される前記閾値速度を参照して、前記算出部によって算出される前記スクロール速度が当該閾値速度を上回っている場合に、前記ディスプレイに表示される画像が第１の明るさで表示され、前記算出部によって算出される前記スクロール速度が当該閾値速度を下回っている場合に、前記ディスプレイに表示される画像が前記第１の明るさよりも明るい第２の明るさで表示されるように、前記調整を行うとしてもよい。
【０１１９】
これにより、ディスプレイに表示される画像の明るさを段階的に変更することができるようになる。
（ｄ）また、前記表示処理部は、プロセッサによって実行される、前記ディスプレイに表示される画像が互いに異なる複数のアプリケーションプログラム毎に、前記表示処理を行い、前記算出部は、前記複数のアプリケーションプログラム毎に、前記算出処理を行うとしてもよい。
【０１２０】
これにより、ディスプレイに表示される画像の明るさの調整を、アプリケーションプログラム毎に行うことができるようになる。
（ｅ）また、前記表示処理部は、第１アプリケーションプログラムが前記プロセッサによって実行されることで実現され、前記ディスプレイに、当該第１アプリケーションプログラムによって定まる第１種画像を表示させる第１表示処理を、前記表示処理として行う第１表示処理部と、第２アプリケーションプログラムが前記プロセッサによって実行されることで実現され、前記ディスプレイに、当該第２アプリケーションプログラムによって定まる第２種画像を表示させる第２表示処理を、前記表示処理として行う第２表示処理部とを含み、前記算出部は、前記第１アプリケーションプログラムが前記プロセッサによって実行されることで実現され、前記第１種画像について、前記スクロール対象領域の画像の第１スクロール速度を算出する第１算出処理を、前記算出処理として行う第１算出部と、前記第２アプリケーションプログラムが前記プロセッサによって実行されることで実現され、前記第２種画像について、前記スクロール対象領域の画像の第２スクロール速度を算出する第２算出処理を、前記算出処理として行う第２算出部とを含み、前記記憶部は、前記第１種画像における、前記第１の速度と前記第２の速度との間を区別するための第１閾値速度と、前記第２種画像における、前記第１の速度と前記第２の速度との間を区別するための第２閾値速度とを、前記閾値速度として記憶し、前記明るさ調整部は、前記第１算出部によって前記第１スクロール速度が算出される場合に、前記記憶部に記憶される前記第１閾値速度を参照して、当該第１スクロール速度が当該第１閾値速度を上回っているときに、前記ディスプレイに表示される画像が前記第１の明るさで表示され、当該第１スクロール速度が当該第１閾値速度を下回っているときに、前記ディスプレイに表示される画像が前記第２の明るさで表示されるように、前記調整を行い、前記第２算出部によって前記第２スクロール速度が算出される場合に、前記記憶部に記憶される前記第２閾値速度を参照して、当該第２スクロール速度が当該第２閾値速度を上回っているときに、前記ディスプレイに表示される画像が前記第１の明るさで表示され、当該第２スクロール速度が当該第２閾値速度を下回っているときに、前記ディスプレイに表示される画像が前記第２の明るさで表示されるように、前記調整を行うとしてもよい。
【０１２１】
これにより、第１アプリケーションプログラムと第２アプリケーションプログラムとで、閾値速度を互いに独立したものとすることができるようになる。
（ｆ）また、前記ディスプレイは、液晶パネルと、当該液晶パネルの背面に位置するバックライトとを含み、前記明るさ調整部は、前記バックライトの光量を変更することで前記調整を行うとしてもよい。
【０１２２】
これにより、バックライトの光量を変更することでディスプレイに表示される画像の明るさを調整することができるようになる。
（ｇ）また、前記ディスプレイは、発光素子で構成される複数の画素からなり、前記明るさ調整部は、前記発光素子の輝度を変更することで前記調整を行うとしてもよい。
これにより、発光素子の輝度を変更することでディスプレイに表示される画像の明るさを調整することができるようになる。
【０１２３】
（ｈ）また、前記明るさ調整部は、さらに、前記算出部によって算出される前記スクロール速度が第２の速度よりも速い第３の速度である場合において、前記第２の速度の場合に前記ディスプレイに表示される画像よりも、前記第３の速度の場合に前記ディスプレイに表示される画像が明るくなるように、前記ディスプレイに表示される画像の明るさを調整して、前記調整を行うとしてもよい。
【０１２４】
これにより、ディスプレイに表示される画像の明るさの段階的変更を、さらに１段階増やすことができるようになる。
（ｉ）また、前記明るさ調整部は、前記ディスプレイにおける画像表示領域のうちの一部の領域である調整対象領域であって、前記スクロール対象領域を含む調整対象領域の画像に限って前記調整を行うとしてもよい。
【０１２５】
これにより、ディスプレイにおける画像表示領域のうちの一部の領域について、画像の明るさの調整を行うことができるようになる。
【産業上の利用可能性】
【０１２６】
本発明は、ディスプレイを備える携帯端末に広く利用することができる。
【符号の説明】
【０１２７】
２００  ＣＰＵ
２１０  通信用ＬＳＩ
２２０  アンテナ
２３０  タッチパネルコントローラ
２４０  メモリ
２５０  レシーバ
２６０  マイク
２７１  液晶パネル
２７２  バックライト
２８０  タッチパッド
２９０  バッテリ
４１０  操作受付部
４２０  明るさ調整部
４３０  記憶部
４５０  第１表示処理部
４６０  第１算出部
４７０  第２表示処理部
４８０  第２算出部
【図１】
2014164389.tif 000003
【図２】
2014164389.tif 000004
【図３】
2014164389.tif 000005
【図４】
2014164389.tif 000006
【図５】
2014164389.tif 000007
【図６】
2014164389.tif 000008
【図７】
2014164389.tif 000009
【図８】
2014164389.tif 000010
【図９】
2014164389.tif 000011
【図１０】
2014164389.tif 000012
【図１１】
2014164389.tif 000013
【図１２】
2014164389.tif 000014
【図１３】
2014164389.tif 000015
【図１４】
2014164389.tif 000016
【図１５】
2014164389.tif 000017